(57)【要約】【課題】使用する内視鏡の処置具挿通チャンネルの太さによる制約を受けることなく、規模の大きな処置を容易かつ安全に行うことができる内視鏡用嘴型処置具を提供すること。【解決手段】内視鏡の挿入部２の先端に着脱自在に取り付けられる先端フード１１と、先端フード１１の内部に取り付けられて一対の嘴状処置片１４を開閉自在に支持する処置片支持部材１６と、先端部分が一対の嘴状処置片１４の後端付近に連結されてそこから先端フード１１の後方に延出する操作ワイヤ１８とを有し、操作ワイヤ１８を基端側から進退操作することにより嘴状処置片１４が先端フード１１の先端開口部１３付近において嘴状に開閉するようにした。【選択図】      図１
2005177098.tif 000002
【特許請求の範囲】
【請求項１】
内視鏡の挿入部先端に着脱自在に取り付けられる先端フードと、上記先端フードの内部に取り付けられて一対の嘴状処置片を開閉自在に支持する処置片支持部材と、先端部分が上記一対の嘴状処置片の後端付近に連結されてそこから上記先端フードの後方に延出する操作ワイヤとを有し、上記操作ワイヤを基端側から進退操作することにより上記嘴状処置片が上記先端フードの先端開口部付近において嘴状に開閉するようにしたことを特徴とする内視鏡用嘴型処置具。
【請求項２】
上記先端フードが透明な部材によって形成されている請求項１記載の内視鏡用嘴型処置具。
【請求項３】
上記処置片支持部材が、上記先端フードを径方向に横断して両端部において上記先端フードに支持された棒状の部材である請求項１又は２記載の内視鏡用嘴型処置具。
【請求項４】
上記処置片支持部材が、上記先端フードの側壁部から片持ちの状態で内方に突出するように配置されたピン状の部材である請求項１又は２記載の内視鏡用嘴型処置具。
【請求項５】
上記一対の嘴状処置片がバイポーラの高周波電極であって、上記処置片支持部材によって支持された電気絶縁部材が上記一対の嘴状処置片の間に配置されている請求項１ないし４のいずれかの項に記載の内視鏡用嘴型処置具。
【請求項６】
上記一対の嘴状処置片が、生検鉗子片、把持鉗子片、鋏片又はモノポーラの高周波電極のいずれかである請求項１ないし４のいずれかの項に記載の内視鏡用嘴型処置具。
【請求項７】
上記一対の嘴状処置片の先端寄りの部分が、上記先端フードの先端開口部から前方に突き出ている請求項１ないし６のいずれかの項に記載の内視鏡用嘴型処置具。
【請求項８】
上記一対の嘴状処置片が嘴状に開く際に上記先端フードとの干渉をなくすための切り欠きが上記先端フードに形成されている請求項１ないし７のいずれかの項に記載の内視鏡用嘴型処置具。
【請求項９】
上記操作ワイヤを案内する操作ワイヤ案内管の先端部分が、上記先端フードの後端外縁付近に連結されている請求項１ないし８のいずれかの項に記載の内視鏡用嘴型処置具。
【発明の詳細な説明】
【技術分野】
【０００１】
この発明は内視鏡用嘴型処置具に関する。
【背景技術】
【０００２】
内視鏡用嘴型処置具は一般に、内視鏡の処置具挿通チャンネル内に挿脱される可撓性シース内に操作ワイヤが挿通配置されていて、可撓性シースの先端部分に配置された一対の嘴状処置片を操作ワイヤによって手元側から嘴状に開閉させることができるようになっている（例えば、特許文献１、２、３）。
【特許文献１】特開平３−２９５５５１
【特許文献２】実開平５−９５０３
【特許文献３】特開平７−８４５０
【発明の開示】
【発明が解決しようとする課題】
【０００３】
しかし、嘴型処置具を内視鏡の処置具挿通チャンネル内に挿脱するためには、嘴状処置片の外径を処置具挿通チャンネルの内径より小さくしなければならないので、従来は規模の小さな処置しか行うことができなかった。
【０００４】
そこで本発明は、使用する内視鏡の処置具挿通チャンネルの太さによる制約を受けることなく、規模の大きな処置を容易かつ安全に行うことができる内視鏡用嘴型処置具を提供することを目的とする。
【課題を解決するための手段】
【０００５】
上記の目的を達成するため、本発明の内視鏡用嘴型処置具は、内視鏡の挿入部先端に着脱自在に取り付けられる先端フードと、先端フードの内部に取り付けられて一対の嘴状処置片を開閉自在に支持する処置片支持部材と、先端部分が一対の嘴状処置片の後端付近に連結されてそこから先端フードの後方に延出する操作ワイヤとを有し、操作ワイヤを基端側から進退操作することにより嘴状処置片が先端フードの先端開口部付近において嘴状に開閉するようにしたものである。
【０００６】
なお、先端フードが透明な部材によって形成されていると、周辺観察が容易であり、処置片支持部材が、先端フードを径方向に横断して両端部において先端フードに支持された棒状の部材であると、嘴状処置片を安定した状態で支持することができる。
【０００７】
また、処置片支持部材が、先端フードの側壁部から片持ちの状態で内方に突出するように配置されたピン状の部材であると、内視鏡観察を妨げないように嘴状処置片を支持することができる。
【０００８】
なお、一対の嘴状処置片がバイポーラの高周波電極の場合には、処置片支持部材によって支持された電気絶縁部材が一対の嘴状処置片の間に配置されているとよく、一対の嘴状処置片が、生検鉗子片、把持鉗子片、鋏片又はモノポーラの高周波電極のいずれかであってもよい。
【０００９】
また、一対の嘴状処置片の先端寄りの部分が、先端フードの先端開口部から前方に突き出ていると処置を行い易く、一対の嘴状処置片が嘴状に開く際に先端フードとの干渉をなくすための切り欠きが先端フードに形成されていると、嘴状処置片を大きく開くことができる。
【００１０】
また、操作ワイヤを案内する操作ワイヤ案内管の先端部分が、先端フードの後端外縁付近に連結されていてもよい。
【発明の効果】
【００１１】
本発明によれば、嘴状処置片の大きさが、内視鏡の挿入部先端に取り付けられる先端フードのサイズによる制約を受けるだけなので、嘴状処置片を従来に比べて非常に大きく形成することができ、その結果、使用する内視鏡の処置具挿通チャンネルの太さによる制約を受けることなく、規模の大きな処置を容易かつ安全に行うことができる。
【発明を実施するための最良の形態】
【００１２】
内視鏡の挿入部先端に着脱自在に取り付けられる先端フードと、先端フードの内部に取り付けられて一対の嘴状処置片を開閉自在に支持する処置片支持部材と、先端部分が一対の嘴状処置片の後端付近に連結されてそこから先端フードの後方に延出する操作ワイヤとを有し、操作ワイヤを基端側から進退操作することにより嘴状処置片が先端フードの先端開口部付近において嘴状に開閉するようにした。
【実施例】
【００１３】
図面を参照して本発明の実施例を説明する。
図５は、嘴型処置具１０が内視鏡１に取り付けられた状態を示しており、符号２は可撓管状の内視鏡挿入部を示し、符号３は、内視鏡挿入部２の基端に連結された内視鏡操作部を示している。
【００１４】
嘴型処置具１０に設けられた先端フード１１の後半部分は、弾性変形させることにより内視鏡挿入部２の先端部分に被脱自在な筒状着脱部１２になっていて、先端フード１１内に配置されている嘴状処置片１４の先寄りの部分が先端フード１１の先端開口部１３から前方に突出している。
【００１５】
先端フード１１の筒状着脱部１２から後方に延出する操作ワイヤ案内管１５は、内視鏡挿入部２の基端側まで内視鏡挿入部２の外面に沿って配置されていて、その途中の複数箇所において、取り外し自在な締め付けバンド９により内視鏡挿入部２に緊縛固定されている。
【００１６】
操作ワイヤ案内管１５の基端には操作部２０が連結されていて、操作部本体２１に対してスライド操作片２２をスライド操作することにより、操作ワイヤ案内管１５内に全長にわたって挿通されている操作ワイヤ１８を軸線方向に進退させて、嘴状処置片１４を嘴状に開閉させることができる。
【００１７】
また、操作部２０には、高周波電源コード３０を接続するための正負両極用の二つの接続端子２３が突設されている。したがって、必要に応じて、二本の操作ワイヤ１８を図示されていない高周波電源の正極と負極とに互いに独立して接続して、バイポーラ（二極）式の高周波処置を行うことができる。
【００１８】
また、二つの接続端子２３のうち正極用の接続端子２３だけを利用することでモノポーラ（単極）式の高周波処置を行うこともでき、高周波電流を用いない機械的な処置を行う場合には、接続端子２３を利用しなければよい。
【００１９】
図１は、嘴型処置具１０の先端部分が内視鏡挿入部２の先端部分に取り付けられていない状態の斜視図（ただし、一部を切除して図示してある）、図２は、嘴型処置具１０の先端部分が内視鏡挿入部２の先端部分に取り付けられた状態の側面部分断面図、図３はその平面断面図、図４は、図３におけるIV−IV断面図である。
【００２０】
嘴型処置具１０の先端フード１１は、透明なプラスチック材によって内視鏡挿入部２の先端部分の径より太い筒状に形成されていて、その後半部分である筒状着脱部１２が内視鏡挿入部２の先端部分に対してきつく嵌め合わされる。ただし、内視鏡挿入部２の先端部分と筒状着脱部１２との固定は、相互に係合する溝と突起等により行ってもよい。
【００２１】
内視鏡挿入部２の先端面２ａには、図４に示されるように観察窓４、照明窓５及び吸引口６等が並んで配置されていて、先端フード１１がそれらの前方を遮らないように先端フード１１の前端部分には先端開口部１３が全面にわたって形成されている。なお、この実施例の先端フード１１には、図３等に示されるように、嘴状処置片１４に近い部分を他の部分より前方に長く出っ張らせた突出端１３ａが形成されている。
【００２２】
先端フード１１内には、一対の嘴状処置片１４を嘴状に開閉自在に支持する丸棒状の処置片支持部材１６が先端フード１１を径方向に横断する状態に配置されていて、処置片支持部材１６の両端部１６ａが各々先端フード１１の側壁に固定されている。なお、その固定は、ここでは機械的なかしめで行われているが、ねじ込み接着、或いは溶着その他どのような手段で行ってもよい。
【００２３】
また、処置片支持部材１６が観察窓４による観察視野を著しく妨げることのないよう、処置片支持部材１６は、観察窓４の有効瞳径の正面にあたる部分を避けて先端フード１１の直径部分に対して適宜の位置に偏位させて配置してもよい。
【００２４】
この実施例においては、例えば四フッ化エチレン樹脂チューブ等のような電気絶縁性の絶縁パイプ１７が処置片支持部材１６に被覆されている。ただし、嘴状処置片１４が機械的な処置のみを行うものである場合には絶縁パイプ１７は省略することができる。
【００２５】
一対の嘴状処置片１４は、この実施例においては鋏片状に形成されていて、その回転支点になる位置に形成された孔に、処置片支持部材１６（及び絶縁パイプ１７）がガタツキなく但し回転の自由を規制しない程度に嵌挿されている。
【００２６】
一対の嘴状処置片１４の間には、例えば四フッ化エチレン樹脂シート等のような電気絶縁性があって摩擦抵抗の小さな部材からなる絶縁スペーサ１９が挟み込まれた状態に配置されている。
【００２７】
絶縁スペーサ１９は、そこに穿設された孔に処置片支持部材１６を通すことにより処置片支持部材１６に支持されている。ただし、図１には絶縁スペーサ１９の図示が省略されており、嘴状処置片１４がバイポーラ式の高周波電極でない場合には絶縁スペーサ１９は省略することができる。
【００２８】
筒状着脱部１２の壁内には、一対の操作ワイヤ１８を通過させるためのワイヤ通過孔１５ａが形成されていて、そこに操作ワイヤ案内管１５の先端部分が後方から差し込まれて接合固定され、一対の操作ワイヤ１８の先端部分がワイヤ通過孔１５ａから前方に引き出されて、各々嘴状処置片１４の後端付近に形成されている係合孔１４ａに繋がれている。
【００２９】
したがって、操作ワイヤ案内管１５の基端に連結されている操作部２０側から操作ワイヤ１８を軸線方向に進退操作することにより、一対の嘴状処置片１４が処置片支持部材１６を中心にして嘴状に開閉動作する。なお、図１は嘴状処置片１４が開いた状態を示し、図２は嘴状処置片１４が閉じた状態を示している。
【００３０】
一対の操作ワイヤ１８は電気的に互いに導通しないように、各々に電気絶縁皮膜が被覆されている。ただし、一方の操作ワイヤ１８のみに電気絶縁皮膜を被覆するだけでもよく、嘴状処置片１４が機械的な処置のみを行うものである場合には電気絶縁皮膜は不要である。
【００３１】
このように構成された嘴型処置具１０は、使用時には、図１以外の各図に示されるように内視鏡挿入部２の先端部分に取り付けられて体内に挿入される。その場合、体内の入口部分からある程度の深さまで案内チューブ等を予め挿管しておき、その案内チューブ内に内視鏡挿入部２を挿入するようにすれば、嘴状処置片１４が体壁等に引っ掛からずに容易に挿入することができる。
【００３２】
体内への挿入時には、内視鏡１の観察窓４から先端フード１１の前方の体内粘膜の状態を観察し、また、先端フード１１が透明なので、先端フード１１を通して周辺の状況を広く観察することもできる。
【００３３】
そして、嘴状処置片１４の大きさはそれを収容している先端フード１１のサイズによる制約を受けるだけなので従来に比べて非常に大きく形成することができ、先端フード１１の先端開口部１３から前方に突出する嘴状処置片１４の先端寄りの部分で、規模の大きな処置（採取、把持、切開、切除、止血等）を行うことができる。
【００３４】
また、そのような規模の大きな処置の場合には、嘴状処置片１４に大きな力が作用する場合があるが、嘴状処置片１４を支持する処置片支持部材１６が先端フード１１に固定されていて振らつかないので、規模の大きな処置を安定した状態で容易かつ安全に行うことができる。
【００３５】
なお、本発明は上記実施例に限定されるものではなく、例えば図６に示されるように、処置片支持部材１６を、先端フード１１の側壁部から片持ちの状態で内方に突出するように配置してピン状の部材にしてもよく、このようにすることにより、観察窓４や照明窓５の前方視界をほとんど妨げないようにすることができる。
【００３６】
また、図７に示されるように、嘴状処置片１４が大きな把持片等である場合には、一対の嘴状処置片１４が嘴状に開く際に先端フード１１との干渉をなくすための切り欠き１３ｂを先端開口部１３から連続的に後方に形成すれば、嘴状処置片１４を大きく開かせることができる。
【００３７】
また、図８に示されるように、嘴状処置片１４がホットバイオプシー鉗子片等である場合には、嘴状処置片１４を開閉操作しなくても、嘴状処置片１４の先端を患部粘膜１００に押し付けて高周波電流を通電するだけで止血処置等を行うことができ、逆に、組織採取の際には高周波電流を通電しなくても嘴状処置片１４の開閉だけで大きな組織標本を採取することができる。
【図面の簡単な説明】
【００３８】
【図１】本発明の第１の実施例の内視鏡用嘴型処置具が内視鏡に取り付けられていない状態で嘴状処置片が開いている状態の一部を切除して示す斜視図である。
【図２】本発明の第１の実施例の内視鏡用嘴型処置具が内視鏡に取り付けられた状態で嘴状処置片が閉じている状態の側面部分断面図である。
【図３】本発明の第１の実施例の内視鏡用嘴型処置具が内視鏡に取り付けられた状態の平面断面図である。
【図４】本発明の第１の実施例の内視鏡用嘴型処置具が内視鏡に取り付けられた状態の、図３におけるIV−IV断面図（正面断面図）である。
【図５】本発明の第１の実施例の内視鏡用嘴型処置具が内視鏡に取り付けられた状態の全体構成を示す側面図である。
【図６】本発明の第２の実施例の内視鏡用嘴型処置具が内視鏡に取り付けられた状態の正面断面図である。
【図７】本発明の第３の実施例の内視鏡用嘴型処置具が内視鏡に取り付けられた状態の外観斜視図である。
【図８】本発明の第４の実施例の内視鏡用嘴型処置具が内視鏡に取り付けられた状態の外観斜視図である。
【符号の説明】
【００３９】
１  内視鏡
２  内視鏡挿入部
１０  嘴型処置具
１１  先端フード
１２  筒状着脱部
１３  先端開口部
１４  嘴状処置片
１５  操作ワイヤ案内管
１６  処置片支持部材
１７  絶縁パイプ
１８  操作ワイヤ
１９  絶縁スペーサ
２０  操作部
【図１】
2005177098.tif 000003
【図２】
2005177098.tif 000004
【図３】
2005177098.tif 000005
【図４】
2005177098.tif 000006
【図５】
2005177098.tif 000007
【図６】
2005177098.tif 000008
【図７】
2005177098.tif 000009
【図８】
2005177098.tif 000010